(57)【要約】【課題】  利用者が所望の楽曲を繰り返して歌唱練習する場合に、当該楽曲の予約待ち行列への再登録に何らの手間も要せず、さらに、カラオケ演奏装置の利用に関して他の利用者との公平を図ることができ、好ましくは、歌唱力の上達に対応して繰り返し練習を管理することが可能な繰り返し選曲登録システムを提供する。【解決手段】  利用者が所望の楽曲について選曲登録を行う際に、所定の繰り返しフラグを付帯させて選曲可能とするための選曲手段２２ａと、選曲された楽曲に繰り返しフラグが付帯されている場合には、当該楽曲を予約待ち行列３３ａにて識別可能に登録すると共に、当該繰り返しフラグが付帯された楽曲が演奏された後に、当該楽曲を予約待ち行列３３ａに再登録するための予約管理手段３８と、を備える。【選択図】  図１
2010128402.tif 000002
【特許請求の範囲】
【請求項１】
カラオケ演奏装置の予約待ち行列にて登録された所定のカラオケ楽曲が演奏された後に、当該楽曲を自動的に再登録可能なシステムであって、
利用者が所望の楽曲について選曲登録を行う際に、所定の繰り返しフラグを付帯させて選曲可能とするための選曲手段と、
前記選曲された楽曲に繰り返しフラグが付帯されている場合には、当該楽曲を予約待ち行列にて識別可能に登録すると共に、当該繰り返しフラグが付帯された楽曲が演奏された後に、当該楽曲を前記予約待ち行列に再登録するための予約管理手段と、
を備えた特徴とする繰り返し選曲登録システム。
【請求項２】
前記カラオケ演奏装置は歌唱採点機能を有し、
前記予約管理手段は、前記繰り返しフラグが付帯された楽曲が演奏されると、当該楽曲の歌唱採点値と予め設定された採点基準値とを比較して、当該歌唱採点値が当該採点基準値以上となった場合に、当該楽曲に付帯された繰り返しフラグを解除する、
ことを特徴とする請求項１に記載の繰り返し選曲登録システム。
【発明の詳細な説明】
【技術分野】
【０００１】
本発明は、所定の楽曲が演奏された後に、当該楽曲を自動的に選曲して再登録可能な繰り返し選曲登録システムに関するものである。
【背景技術】
【０００２】
カラオケ演奏装置の利用目的は種々あり、仲間同士が集まって歌唱を行うことにより親睦を図ったり、気に入った楽曲を上手に歌唱するために練習を行ったりしている。このように、カラオケ演奏装置を用いてカラオケ演奏を楽しむ場合に、利用者はカラオケリモコン装置の選曲インタフェイスを用いて、カラオケ演奏装置の本体に備えられた予約待ち行列に、歌唱を所望する楽曲を選曲登録する。選曲登録された楽曲は予約待ち行列に従い順次演奏されるが、通常、一の楽曲が演奏されると、当該楽曲は予約待ち行列から削除される。
【０００３】
ところで、所望の楽曲について歌唱練習を行いたい利用者にとって、繰り返して同じ楽曲の演奏を望む場合がある。しかし、現在のカラオケシステムでは、上述したように、一旦演奏された楽曲は予約待ち行列から削除されるため、所望の楽曲について繰り返して歌唱練習を行いたい場合には、所望の回数だけ選曲登録を行ったり、当該楽曲の演奏が終了するまでの間に、再生を繰り返して指示したりすることになる。
【０００４】
また、歌唱練習の対象となる楽曲は１曲とは限らず、複数の楽曲の歌唱練習を行いたい場合も多々ある。この場合には、同一の楽曲を何度も繰り返して歌唱するのではなく、所定の順番に従って複数の楽曲を順次歌唱することが一般的である。この際、従来のように、選曲登録を複数回行ったり、演奏の途中で再生を繰り返して指示したりすることは面倒であるため、選曲登録を容易に行いたいという要望があった。
【０００５】
従来、歌唱力を向上させるために、楽曲の演奏を制御するようにした技術が開示されている（特許文献１参照）。この特許文献１に記載された技術は、所定の楽曲の歌唱に際して採点を行い、歌唱採点値が基準点以下と判定された場合に当該楽曲の演奏を停止し、あるいは当該楽曲の最初から再演奏を行うことにより、繰り返して歌唱練習を行うことができるようになっている。
【０００６】
【特許文献１】特開平９−２４４６７６号公報
【発明の開示】
【発明が解決しようとする課題】
【０００７】
上述した特許文献１に記載された技術では、歌唱採点値が基準点以下となった場合に、直ちに楽曲の演奏を停止する。このため、歌唱者にとっては、自らの歌唱力が基準点以下である箇所を理解することができるが、楽曲の全体を通して満遍なく歌唱練習を行うことはできない。また、一度に複数の楽曲を歌唱練習の対象とすることもできない。
【０００８】
さらに、楽曲の演奏が停止した後に、改めて当該楽曲を最初から演奏するような構成とした場合には、特定の利用者のみがカラオケ演奏装置を独占してしまうことになる。したがって、一人の利用者のみが単独で歌唱練習を行っている場合はよいが、複数の利用者が集まってカラオケ演奏装置を利用している場合には、仲間同士が集まって歌唱を行うことにより親睦を図るという、カラオケ演奏装置本来の目的を阻害してしまう。
【０００９】
本発明は、上述した事情に鑑み提案されたもので、利用者が所望の楽曲を繰り返して歌唱練習する場合に、当該楽曲の予約待ち行列への再登録に何らの手間も要せず、さらに、カラオケ演奏装置の利用に関して他の利用者との公平を図ることができ、好ましくは、歌唱力の上達に対応して繰り返し練習を管理することが可能な繰り返し選曲登録システムを提供することを目的とする。
【課題を解決するための手段】
【００１０】
本発明の繰り返し選曲登録システムは、上述した目的を達成するため、以下の特徴点を有している。すなわち、本発明の繰り返し選曲登録システムは、カラオケ演奏装置の予約待ち行列にて登録された所定のカラオケ楽曲が演奏された後に、当該楽曲を自動的に再登録可能なシステムであって、利用者が所望の楽曲について選曲登録を行う際に、所定の繰り返しフラグを付帯させて選曲可能とするための選曲手段と、選曲された楽曲に繰り返しフラグが付帯されている場合には、当該楽曲を予約待ち行列にて識別可能に登録すると共に、当該繰り返しフラグが付帯された楽曲が演奏された後に、当該楽曲を予約待ち行列に再登録するための予約管理手段と、を備えたことを特徴とするものである。
【００１１】
このような構成からなる繰り返し選曲登録システムでは、例えば、カラオケリモコン装置の選曲インタフェイス等からなる選曲手段を用いて選曲を行う際に、利用者が歌唱練習を所望する楽曲について繰り返し演奏の設定がなされると、予約管理手段の機能により、当該楽曲について、繰り返しフラグを付帯させて予約待ち行列に登録する。そして、繰り返しフラグが付帯された楽曲の演奏が終了すると、自動的に当該楽曲を予約待ち行列に再登録する。
【００１２】
また、上述した構成に加えて、歌唱採点機能を有するカラオケ演奏装置では、好ましくは、予約管理手段の機能として、繰り返しフラグが付帯された楽曲が演奏されると、当該楽曲の歌唱採点値と予め設定された採点基準値とを比較して、当該歌唱採点値が当該採点基準値以上となった場合に、当該楽曲に付帯された繰り返しフラグを自動的に解除する機能を付加することが可能である。
【００１３】
このような構成からなる繰り返し選曲登録システムでは、歌唱採点値と予め定めた採点基準値とを比較し、歌唱採点値が採点基準値以上となると、繰り返しフラグが自動的に解除される。このため、歌唱採点値が採点基準値以上となった楽曲は、予約待ち行列に再登録されない。
【発明の効果】
【００１４】
本発明の繰り返し選曲登録システムによれば、利用者が歌唱練習を所望する楽曲について、一旦繰り返し演奏の設定を行えば、再度繰り返し演奏の設定を行うことなく、当該楽曲の演奏が終了すると、自動的に当該楽曲が予約待ち行列に再登録される。したがって、利用者が歌唱練習を行う際に、再選曲の登録操作が必要なくなるので、手間なく効率的に歌唱練習を行うことができる。
【００１５】
また、一般的な選曲登録操作では、楽曲が選曲登録順に予約待ち行列に登録される。すなわち、歌唱練習を所望する楽曲を再登録する際にも、当該楽曲は予約待ち行列において、先に選曲登録された楽曲よりも後ろに登録されることになる。したがって、複数の利用者が集まってカラオケ演奏装置を利用している場合であっても、特定の利用者のみがカラオケ演奏装置を独占することがなく、仲間同士が集まって歌唱を行うことにより親睦を図るという、カラオケ演奏装置本来の目的を達成することができる。
【００１６】
また、歌唱採点値が採点基準値以上となった楽曲は、予約待ち行列に再登録されない構成とした場合には、当該利用者による当該楽曲の歌唱力が上達したとみなし、その後の練習が不要となるので、より一層効率的に歌唱練習を行うことができる。
【発明を実施するための最良の形態】
【００１７】
以下、図面を参照して、本発明の繰り返し選曲登録システムの実施形態を説明する。
本発明の実施形態に係る繰り返し選曲登録システムは、カラオケ演奏装置の予約待ち行列にて登録された所定のカラオケ楽曲が演奏された後に、当該楽曲を自動的に再登録可能なシステムであり、カラオケ演奏装置の構成要素とされている。以下、本発明の実施形態に係る繰り返し選曲登録システムを適用するカラオケ演奏装置について説明する。
【００１８】
＜カラオケ演奏装置＞
図１は、本発明の実施形態に係る繰り返し選曲登録システムを適用するカラオケ演奏装置のブロック図である。
本発明の実施形態に係るカラオケ演奏装置１１は、図１に示すように、カラオケ本体２１、カラオケリモコン装置２２、ミキシングアンプ２３、スピーカ２４、マイクロホン２５、ディスプレイ装置２６を備えている。カラオケ本体２１とディスプレイ装置２６とは、有線方式又は無線方式により接続されている。
【００１９】
＜カラオケリモコン装置＞
カラオケリモコン装置２２は、ユーザインタフェース機能を備えており、カラオケ本体２１の送受信手段３５に対して有線方式又は無線方式によりデータの送受信を行うようになっている。このカラオケリモコン装置２２は、選曲手段２２ａとして機能する機器及びプログラム、データの送受信を行うための回路基板及びプログラム、カードリーダ等からなる利用者ＩＤ取得手段２２ｄ、フラッシュメモリ等からなる記憶手段（図示せず）を備えている。
【００２０】
＜選曲手段／楽曲索引データベース＞
選曲手段２２ａは、入出力手段２２ｂ及び楽曲索引データベース２２ｃを備えており、選曲プログラムの機能により、入出力手段２２ｂからの入力に基づき、楽曲索引データベース２２ｃを参照して楽曲を検索する。さらに、選曲手段２２ａは、利用者が所望の楽曲について選曲登録を行う際に、所定の繰り返しフラグを付帯させて選曲可能とする機能を有している。
楽曲索引データベース２２ｃは、カラオケ演奏装置１１で演奏に供される楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２１】
＜入出力手段＞
入出力手段２２ｂは、タッチパネル式の液晶表示装置からなり、この入出力手段２２ｂにタッチ入力することにより、利用者のログイン操作、楽曲検索操作、選曲指定操作、繰り返し演奏指定操作等の種々の操作が可能となっている。
【００２２】
＜利用者ＩＤ取得手段＞
利用者ＩＤ取得手段２２ｄは、利用者がカラオケ演奏装置１１を利用する際に、利用者が所持するＩＤ媒体２７から利用者ＩＤを取得するための電子回路及びプログラムからなる。利用者ＩＤ取得手段２２ｄで取得した利用者ＩＤは、ＲＡＭ３３に一時的に記憶され、ログイン利用者管理手段３６で管理される。ＩＤ媒体２７は、例えば、非接触型のＩＣカード、携帯電話、携帯情報端末等からなり、利用者ＩＤを記憶して、利用者ＩＤ取得手段２２ｄとの間でデータの送受信を行うことができるようになっている。
【００２３】
＜カラオケ本体＞
カラオケ本体２１は、中央制御手段３１、ＲＯＭ３２、ＲＡＭ３３、ＨＤＤ３４、送受信手段３５、ログイン利用者管理手段３６、歌唱採点手段３７、予約管理手段３８、音楽再生制御手段３９、Ａ／Ｄコンバータ４０、映像再生制御手段４１を備えている。
【００２４】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたアプリケーションプログラムに従って動作することにより、制御機能を発揮することができるようになっている。
【００２５】
＜ＲＯＭ／ＲＡＭ＞
ＲＯＭ３２は、カラオケ本体２１を構成する各機器を制御するためのアプリケーションプログラムデータや数値データを記憶するための機器で、例えば半導体メモリ等で構成される。また、ＲＡＭ３３は、アプリケーションプログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に、予約待ち行列３３ａが格納されている。予約待ち行列３３ａについては、後に詳述する。
【００２６】
＜ＨＤＤ／楽曲データベース／映像データベース＞
ＨＤＤ３４には、楽曲データベース３４ａ及び映像データベース３４ｂが格納されている。なお、ＨＤＤ３４に替えて、あるいはＨＤＤ３４と共に、データを書き替え可能なＤＶＤ等の大容量記憶装置を用いてもよい。
【００２７】
楽曲データベース３４ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。映像データベース３４ｂは、演奏される楽曲に対応した背景映像を、当該楽曲の楽曲ＩＤに対応させた映像ファイルとして所定数格納したデータベースである。
【００２８】
＜送受信手段＞
送受信手段３５は、カラオケリモコン装置２２との間でデータの送受信を行うための電子回路及びプログラムからなる。
【００２９】
＜ログイン利用者管理手段＞
ログイン利用者管理手段３６は、現に当該カラオケ演奏装置１１にログインしている利用者を、利用者ＩＤに基づき特定して管理するためのプログラムからなる。すなわち、ログイン利用者管理手段３６では、利用者ＩＤ取得手段２２ｄにより利用者ＩＤが取得された場合に、この利用者ＩＤに基づいてカラオケ演奏装置１１にログインしている利用者を特定して管理する。
利用者ＩＤに基づき利用者を特定して管理することにより、予約管理手段３８において、より一層きめ細かな管理を行うことができる。すなわち、同一楽曲について、異なる利用者が予約を行った場合に、利用者ＩＤを含めて予約待ち行列３３ａを管理することにより、どの利用者により予約された楽曲かを区別することができる。また、繰り返しフラグがセットされた楽曲を予約待ち行列３３ａに再登録する際にも、利用者ＩＤを含めて再登録することにより、繰り返し演奏の予約を行った利用者を特定することができる。
【００３０】
＜歌唱採点手段＞
歌唱採点手段３７は、歌唱採点機能を発揮するための手段であり、利用者による任意の楽曲の歌唱について、所定の歌唱区間毎に歌唱採点を行うためのプログラムからなる。
歌唱採点機能では、マイクロホン２５より入力され、Ａ／Ｄコンバータ４０でデジタル変換された歌唱者の音声信号から、音程、声量、テンポ等の歌唱評価データを抽出すると共に、この歌唱評価データと演奏楽曲の主旋律等のリファレンス情報とを比較して採点を行う。このような歌唱採点方法については、特開２００７−１２１９１７号公報等に詳細に記載されている。
【００３１】
＜予約管理手段＞
予約管理手段３８は、利用者によりカラオケリモコン装置２２における選曲手段２２ａの機能を用いて選曲され、送受信手段３５を介して送信された当該選曲者の利用者情報（例えば利用者ＩＤ）及び選曲された楽曲ＩＤを対応付けて予約待ち行列３３ａとしてＲＡＭ３３に格納し、管理するためのプログラムである。この予約管理手段３８は、選曲された楽曲に繰り返しフラグが付帯されている場合に、当該楽曲を予約待ち行列３３ａにて識別可能に登録する機能を有している。また予約管理手段３８は、予約待ち行列３３ａの登録に関連する手段として、演奏曲繰り返し登録手段３８ａ及び繰り返し登録自動解除手段３８ｂを含んでいる。
【００３２】
＜演奏曲繰り返し登録手段＞
演奏曲繰り返し登録手段３８ａは、繰り返しフラグが付帯された楽曲が演奏された後に、当該楽曲を予約待ち行列３３ａに再登録するためのプログラムからなる。すなわち、繰り返しフラグが付帯された楽曲の演奏が終了すると、演奏曲繰り返し登録手段３８ａの機能により、自動的に当該楽曲を予約待ち行列３３ａに再登録する。
なお、後に詳述するが、歌唱力の上達に対応して繰り返し練習を管理する場合には、演奏曲繰り返し登録手段３８ａにおける繰り返しフラグの確認は、繰り返しフラグが付帯された楽曲が演奏されて、歌唱採点値と採点基準値との比較が行われた後に実施する必要がある。
【００３３】
また、繰り返しフラグは、入出力手段２２ｂからの入力に基づいて解除できることが好ましい。すなわち、一般的な選曲登録においても、予約待ち行列３３ａに登録された楽曲を予約対象から削除することができるので、利用者が歌唱練習を行うために繰り返し演奏の設定を行った楽曲であっても、利用者の所望に応じて繰り返し演奏の設定を解除できることが好ましいからである。当然、繰り返しフラグが解除されている楽曲は、予約待ち行列３３ａに再登録されることはない。
【００３４】
＜繰り返し演奏の設定＞
図２は、選曲登録画面を示す模式図、図３は、予約待ち行列の構成を示す説明図である。
上述したように、選曲手段２２ａの機能により楽曲の検索が行われて、所望の楽曲が選択されると、カラオケリモコン装置２２の入出力手段２２ｂには、図２に示すような選曲登録画面が表示される。この選曲登録画面において演奏キー等の設定を行うが、本発明では、同時に、繰り返し演奏の設定を行うことができる。すなわち、図２に示す選曲登録画面において転送ボタンが操作されると楽曲予約の操作が完了し、予約管理手段３８の機能により、当該楽曲に関する予約待ち行列３３ａが作成されるが、楽曲予約の操作を行う際、繰り返し演奏の設定を行うことができる。具体的には、歌唱練習ボタンを操作することにより、繰り返し演奏の設定が行われる。
予約待ち行列３３ａは、図３に示すように、演奏順に、利用者ＩＤ、楽曲ＩＤを紐付けして構成されているが、繰り返し演奏の設定が行われた楽曲については、繰り返しフラグがセットされる。
【００３５】
＜繰り返し登録自動解除手段＞
繰り返し登録自動解除手段３８ｂは、繰り返しフラグが付帯された楽曲が演奏されると、当該楽曲の歌唱採点値と予め設定された採点基準値とを比較して、当該歌唱採点値が当該採点基準値以上となった場合に、当該楽曲に付帯された繰り返しフラグを解除するためのプログラムからなる。すなわち、歌唱力の上達に対応して繰り返し練習を管理する場合には、繰り返しフラグが付帯された楽曲が演奏されると、歌唱採点手段３７の機能により歌唱採点が行われる。そして、繰り返し登録自動解除手段３８ｂの機能により、歌唱採点値と採点基準値とを比較し、歌唱採点値が採点基準値以上となると、繰り返しフラグが解除される。
なお、繰り返し登録自動解除手段３８ｂは、歌唱力の上達に対応して繰り返し練習を管理する構成となっている場合に必要な手段であり、このような管理を行わない場合には省略することができる。
【００３６】
＜音楽再生制御手段＞
音楽再生制御手段３９は、楽曲ＩＤに基づいて楽曲データベース３４ａから抽出された演奏データをデジタル再生すると共にアナログ変換してミキシングアンプ２３に出力するための電子回路である。ミキシングアンプ２３は、マイクロホン２５から入力された歌唱者の歌唱音声信号と、音楽再生制御手段３９から送出される演奏音声信号とをミキシングすると共に、アンプ機能により増幅してスピーカ２４より出力させるための装置である。なお、マイクロホン２５の数は１本に限られず、２本以上であってもよい。
【００３７】
また、マイクロホン２５は、Ａ／Ｄコンバータ４０を介してバスに接続されており、マイクロホン２５から入力された音声信号が歌唱採点手段３７における歌唱採点に使用される。
【００３８】
＜映像再生制御手段／ディスプレイ装置＞
映像再生制御手段４１は、カラオケ演奏中に、映像データベース３４ｂから抽出した映像データ、及び楽曲データベース３４ａから抽出した楽曲データのうちの歌詞テロップデータ（歌詞文字データ）を当該楽曲の演奏データに同期させてディスプレイ装置２６に出力するための電子回路である。さらに、映像再生制御手段４１は、カラオケリモコン装置２２を介した利用者からの操作指示による予約楽曲リストの表示等をディスプレイ装置２６に表示させる機能も有している。
ディスプレイ装置２６は、カラオケ演奏時の映像、歌詞テロップ等を表示するための装置で、例えば、ＣＲＴディスプレイ、液晶ディスプレイ、プラズマディスプレイ等により構成される。
【００３９】
＜繰り返し選曲登録処理＞
次に、本実施形態の繰り返し選曲登録システムを用いた繰り返し選曲登録処理について説明する。図４は選曲登録処理を示すフローチャート、図５は実施形態１に係る繰り返し選曲登録処理を示すフローチャート、図６は実施形態２に係る繰り返し選曲登録処理を示すフローチャート、図７は繰り返し選曲登録の一例を示す説明図である。
【００４０】
＜選曲登録処理＞
本実施形態の繰り返し選曲登録システムを用いて繰り返し選曲登録を行うには、繰り返し演奏の設定を行う必要がある。上述したように、選曲手段２２ａの機能により楽曲の検索が行われて、所望の楽曲が選択されると、図２に示すような選曲登録画面が表示され、この選曲登録画面において、演奏キー等の設定と共に繰り返し演奏の登録を行うことができる。そして、図４に示すように、予約登録の指示を受けると（Ｓ１）、繰り返し登録の設定がされているか否かを判断する（Ｓ２）。ここで、繰り返し登録の設定がされている場合には、選曲された楽曲について、繰り返しフラグをセットして予約待ち行列３３ａに登録する（Ｓ３）。一方、繰り返し選曲の設定がされていない場合には、選曲された楽曲について、繰り返しフラグをセットせずに予約待ち行列３３ａに登録する（Ｓ４）。
【００４１】
＜実施形態１＞
実施形態１に係る繰り返し選曲登録処理は、本発明の基本的な態様であり、図５に示すように、楽曲の演奏が終了すると（Ｓ１１）、当該楽曲について繰り返しフラグがセットされているか否かを判断する（Ｓ１２）。ここで、繰り返しフラグがセットされている場合には、当該楽曲を予約待ち行列３３ａの最後尾に再登録する（Ｓ１３）。一方、繰り返しフラグがセットされていない場合には、当該楽曲を予約待ち行列３３ａから削除する（Ｓ１４）。例えば、図７に示すように、楽曲ＩＤ「＊＊＊ａ−０１」の楽曲の演奏が終了すると、当該楽曲には繰り返しフラグがセットされているので、楽曲ＩＤ「＊＊＊ａ−０１」の楽曲が予約待ち行列３３ａの最後尾となるように、楽曲ＩＤ「＊＊＊ｐ−０１」の楽曲の後に再登録する。
【００４２】
また、上述したように、利用者の所望に応じて繰り返しフラグを解除できることが好ましい。現在演奏されている楽曲についは、予約待ち行列３３ａの情報が保持されており、当該楽曲について演奏が終了した後に予約待ち行列３３ａの情報が削除される。したがって、選曲登録時には繰り返しフラグがセットされていたが、楽曲の演奏が終了した時点で、利用者の所望に応じて繰り返しフラグが解除されている場合には、繰り返し選曲登録は行われない。
【００４３】
＜実施形態２＞
実施形態２に係る繰り返し選曲登録処理は、歌唱力の上達に対応して繰り返し練習を管理する態様であり、図６に示すように、楽曲の演奏が終了すると（Ｓ２１）、当該楽曲の歌唱採点値を取得し（Ｓ２２）、歌唱採点値と採点基準値とを比較して、歌唱採点値が採点基準値以上であるか否かを判断する（Ｓ２３）。ここで、歌唱採点値が採点基準値以上であれば、繰り返しフラグを解除する（Ｓ２４）。
【００４４】
続いて、当該楽曲について繰り返しフラグがセットされているか否かを判断する（Ｓ２５）。そして、繰り返しフラグがセットされている場合には、当該楽曲を予約待ち行列３３ａの最後尾に再登録する（Ｓ２６）。一方、繰り返しフラグがセットされていない場合には、当該楽曲を予約待ち行列３３ａから削除する（Ｓ２７）。予約待ち行列３３ａへの再登録の態様は、実施形態１と同様である（図７参照）。また、利用者の所望に応じて、繰り返しフラグを解除することができる点も実施形態１と同様である。
【００４５】
＜他の実施形態＞
本発明の繰り返し選曲登録システム及びその周辺装置を構成する機器や手段は上述したものに限定されず、その利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００４６】
また、上述した実施形態は、カラオケ演奏装置１１をスタンドアロンで使用した例を示しているが、各カラオケ店舗等に設置されたカラオケ演奏装置１１を端末装置とし、インターネット回線等を用いて、端末装置とホスト装置とをネットワーク接続した構成とすることもできる。この場合には、ホスト装置において、利用者情報である利用者ＩＤ等を集中管理することにより、ネットワーク接続されたカラオケ演奏端末であれば、どのカラオケ演奏端末を利用した場合であっても同様のサービスを提供することができる。
【図面の簡単な説明】
【００４７】
【図１】本発明の実施形態に係る繰り返し選曲登録システムを適用するカラオケ演奏装置のブロック図。
【図２】選曲登録画面を示す模式図。
【図３】予約待ち行列の構成を示す説明図。
【図４】選曲登録処理を示すフローチャート。
【図５】実施形態１に係る繰り返し選曲登録処理を示すフローチャート。
【図６】実施形態２に係る繰り返し選曲登録処理を示すフローチャート。
【図７】繰り返し選曲登録の一例を示す説明図。
【符号の説明】
【００４８】
１１  カラオケ演奏装置
２１  カラオケ本体
２２  カラオケリモコン装置
２２ａ  選曲手段
２２ｂ  入出力手段
２２ｃ  楽曲索引データベース
２２ｄ  利用者ＩＤ取得手段
２３  ミキシングアンプ
２４  スピーカ
２５  マイクロホン
２６  ディスプレイ装置
２７  ＩＤ媒体
３１  中央制御手段
３２  ＲＯＭ
３３  ＲＡＭ
３３ａ  予約待ち行列
３４  ＨＤＤ
３４ａ  楽曲データベース
３４ｂ  映像データベース
３５  送受信手段
３６  ログイン利用者管理手段
３７  歌唱採点手段
３８  予約管理手段
３８ａ  演奏曲繰り返し登録手段
３８ｂ  繰り返し登録自動解除手段
３９  音楽再生制御手段
４０  Ａ／Ｄコンバータ
４１  映像再生制御手段
【図１】
2010128402.tif 000003
【図２】
2010128402.tif 000004
【図３】
2010128402.tif 000005
【図４】
2010128402.tif 000006
【図５】
2010128402.tif 000007
【図６】
2010128402.tif 000008
【図７】
2010128402.tif 000009